(57)【特許請求の範囲】
【請求項１】
洗浄液で洗浄した上面を開放した合成樹脂製の収納籠を遠心脱水する収納籠の遠心脱水装置において、所定速度で水平面内で搬送される搬送用無端コンベヤと、該搬送用無端コンベヤの外表面に長手方向に所定間隔を保って回転自在に配設された前記収納籠を保持する複数のターンテーブルと、前記搬送用無端コンベヤの搬送方向の上流側で前記ターンテーブルに収納籠を保持させる収納籠保持手段と、この収納籠保持手段の下流側に配設された前記ターンテーブルに対して搬送用無端コンベヤの搬送中に回転力を伝達して遠心脱水を行う回転動力伝達手段と、該回転動力伝達手段の下流側に配設された、前記ターンテーブルの前記搬送用無端コンベヤの内面側に延長する回転軸における延長端部に配設された係合ローラに摺接して当該ターンテーブルの回転を制動する制動手段と、該制動手段の下流側の前記搬送用無端コンベヤを支持する回転軸に形成された収納籠の向きを整列させる整列手段と、該整列手段の下流側に配設された前記ターンテーブルに保持されている収納籠を抽出する収納籠抽出手段とを備えたことを特徴とする収納籠の遠心脱水装置。
【請求項２】
前記回転動力伝達手段及び収納籠抽出手段との間に遠心脱水後の収納籠を乾燥させる乾燥手段が配設されていることを特徴とする請求項１記載の収納籠の遠心脱水装置。
【請求項３】
前記ターンテーブルは、前記収納籠をその開放上面が下側となるように保持するように構成されていることを特徴とする請求項１又は２に記載の収納籠の遠心脱水装置。
【請求項４】
前記回転動力伝達手段は、前記係合ローラの搬送軌跡に沿って配設され、当該係合ローラに接触しながら搬送駆動される動力伝達用無端ベルトを備えていることを特徴とする請求項１乃至３の何れかに記載の収納籠の遠心脱水装置。
【請求項５】
前記制動手段は、前記動力伝達用無端ベルトの下流側に配設された前記ターンテーブルの係合ローラに摺接して制動するブレーキプレートを有することを特徴とする請求項４に記載の収納籠の遠心脱水装置。
【発明の詳細な説明】
【０００１】
【発明の属する技術分野】
本発明は、野菜や果物、或いは小型部品などの物品を搬送するときに使用する合成樹脂製の収納籠を洗浄液を用いて洗浄する際に脱水工程で使用する収納籠の遠心脱水装置に関する。
【０００２】
【従来の技術】
従来、野菜や果物、或いは小型部品等の物品を、トラック等の貨物輸送車両で搬送する際には、段ボール箱等の紙製の梱包箱を使用し、その内部に物品を詰めて梱包し、それら物品の開梱後は、段ボール箱等の紙製梱包箱を廃棄していた。昨今では、このような紙製梱包箱を回収し、再使用することも行われているが、こうした紙製梱包箱は、搬送中等に汚損したり壊れたりすることも多く、したがってその廃棄率は依然として高く、経済的にも資源節約の面からも極めて不利である。
【０００３】
そこで、こうした搬送容器をプラスチック等の合成樹脂製に変更し、それを確実に再使用することが行われつつある。
【０００４】
【発明が解決しようとする課題】
しかしながら、このような合成樹脂製の収納籠も、例えば前述のように野菜や果物等の物品を搬送する際には、籠の内部も外部も汚損してしまう。このように汚損した折畳み籠１は、その再使用の前に洗浄する必要があるが、従前は、内部及び外部を手作業によって洗浄していた。
【０００５】
しかし、これでは、洗浄作業が面倒である上に、洗浄に要する所要時間が膨大なものとなると共に、洗浄液を脱水乾燥させる所要時間も膨大なものとなり、洗浄後の収納籠を迅速に脱水乾燥させることができないという未解決の課題がある。
【０００６】
そこで、本発明は、上記従来例の未解決の課題に着目してなされたものであり、洗浄後の収納籠を簡易な構成で迅速に脱水乾燥させることができる収納籠の遠心脱水装置を提供することを目的としている。
【０００７】
【課題を解決するための手段】
上記目的を達成するために、本発明における請求項１に係る収納籠の遠心脱水装置は、洗浄液で洗浄した上面を開放した合成樹脂製の収納籠を遠心脱水する収納籠の遠心脱水装置において、所定速度で水平面内で搬送される搬送用無端コンベヤと、該搬送用無端コンベヤの外表面に長手方向に所定間隔を保って回転自在に配設された前記収納籠を保持する複数のターンテーブルと、前記搬送用無端コンベヤの搬送方向の上流側で前記ターンテーブルに収納籠を保持させる収納籠保持手段と、この収納籠保持手段の下流側に配設された前記ターンテーブルに対して搬送用無端コンベヤの搬送中に回転力を伝達して遠心脱水を行う回転動力伝達手段と、該回転動力伝達手段の下流側に配設された、前記ターンテーブルの前記搬送用無端コンベヤの内面側に延長する回転軸における延長端部に配設された係合ローラに摺接して当該ターンテーブルの回転を制動する制動手段と、該制動手段の下流側の前記搬送用無端コンベヤを支持する回転軸に形成された収納籠の向きを整列させる整列手段と、該整列手段の下流側に配設された前記ターンテーブルに保持されている収納籠を抽出する収納籠抽出手段とを備えたことを特徴としている。
【０００８】
この請求項１に係る発明においては、収納籠保持手段で搬送用無端コンベヤ上のターンテーブルに洗浄を終了した収納籠を保持させると、搬送用無端コンベヤの搬送に伴ってターンテーブルが回転動力伝達手段に搬送され、この回転動力伝達手段でターンテーブルに回転動力が伝達されることにより、ターンテーブルが高速回転駆動されて、収納籠の遠心脱水が行われる。さらに、ターンテーブルが搬送されると、制動手段でターンテーブルの回転が制動され、整列手段でターンテーブル上に保持されている遠心脱水を完了した収納籠の向きを一定方向に整列させ、収納籠抽出手段でターンテーブル上の収納籠が抽出される。ここで、整列手段が、搬送用無端コンベヤを支持する回転軸に形成されているので、別途整列手段を配設する必要がない。
【０００９】
また、請求項２に係る収納籠の遠心脱水装置は、請求項１に係る発明において、前記回転動力伝達手段及び収納籠抽出手段との間に遠心脱水後の収納籠を乾燥させる乾燥手段が配設されていることを特徴としている。
【００１０】
この請求項２に係る発明においては、回転動力伝達手段でターンテーブルが高速回転駆動されて遠心脱水された収納籠を乾燥手段で乾燥させることができ、収納籠をより確実に乾燥させることができる。
【００１１】
さらに、請求項３に係る収納籠の遠心脱水装置は、請求項１又は２に係る発明において、前記ターンテーブルが、前記収納籠をその開放上面が下側となるように保持するように構成されていることを特徴としている。
【００１２】
この請求項３に係る発明においては、ターンテーブルに収納籠が開放上面を下側として保持されるので、収納籠保持手段を搬送用無端コンベヤの反転部に設けることにより、収納籠を開放上面を下側として配置しておくだけで容易にターンテーブルに保持させることができる。
【００１３】
さらにまた、請求項４に係る収納籠の遠心脱水装置は、請求項１乃至３に係る発明において、前記回転動力伝達手段は、前記係合ローラの搬送軌跡に沿って配設され、当該係合ローラに接触しながら搬送駆動される動力伝達用無端ベルトを備えていることを特徴としている。
【００１４】
この請求項４に係る発明においては、ターンテーブルの回転軸に形成された係合ローラがその搬送状態で、動力伝達用無端ベルトに摺接することにより、高速回転駆動されて、ターンテーブルに保持した収納籠を遠心脱水する。
【００１５】
なおさらに、請求項５に係る収納籠の遠心脱水装置は、請求項４に係る発明において、前記制動手段は、前記動力伝達用無端ベルトの下流側で前記ターンテーブルの係合ローラに摺接して制動するブレーキプレートが配設されていることを特徴としている。
【００１６】
この請求項５に係る発明においては、ターンテーブルの係合ローラに制動手段のブレーキプレートが摺接することにより、ターンテーブルの回転が確実に停止される。
【００２０】
【発明の実施の形態】
以下、本発明の実施の形態を図面に基づいて説明する。
先ず、本発明を適用し得る収納籠１は、図１０に示すように、エンジニアリングプラスチック等の合成樹脂材で成形され、長方形状を有する底板部１ａと、この底板部１ａの左右側縁から上方に外側に広がるテーパー状に延長する左右傾斜側板部１ｂ，１ｃと、底板部１ａの前後側縁から上方に外側に広がるテーパー状に延長する前後傾斜側板部１ｄ，１ｅとで上面を開放した積み重ねが容易な角錐筒状に形成され、左右傾斜側板部１ｂ，１ｃに把手部１ｆが形成されている。
【００２１】
そして、底板部１ａ，左右傾斜側板部１ｂ，１ｃ及び前後傾斜側板部１ｄ，１ｅには、夫々所定長さの多数のスリット１ｇが形成されている。
そして、上記構成を有する収納籠１が、図１に示すように、洗浄装置２によって洗浄液を噴射することにより洗浄され、洗浄後の洗浄液が付着した収納籠１が開放上面を下向きとしてローラコンベヤ３によって遠心脱水装置４に供給される。
【００２２】
この遠心脱水装置４は、高さがローラコンベヤ３の上面と略等しい高さに設定され且つローラコンベヤ３の搬送方向に延長する直方体上のケース体５を有する。
【００２３】
このケース体５は、所定間隔を保って設置面に立設された略Ｈ形状の支持フレームＦ１〜Ｆ３と、これら支持フレームＦ１〜Ｆ３の周囲を覆う外面カバー６と、支持フレームＦ１〜Ｆ３の底面側を覆い洗浄装置２側に行くに従い徐々に高さが低くなる傾斜樋７と、支持フレームＦ１〜Ｆ３の上面に左右方向に延長して配設された所定幅の支持プレートＰ１，Ｐ２と、これら支持プレートＰ１，Ｐ２の左右端部を除く中央部上に設けられたフード８とで構成されている。
【００２４】
そして、ケース体５内の上面側に搬送用コンベヤ１０が配設されている。
この搬送用コンベヤ１０は、ケース体５内の左右端部に前後方向に延長して配設された回転軸１１，１２と、これら回転軸１１，１２の支持プレートＰ１及びＰ２の内側端面より所定距離内側となる位置に夫々取付けられたチェーンスプロケットＣＳL1，ＣＳL2及びＣＳR1，ＣＳR2と、これらチェーンスプロケットＣＳL1及びＣＳR1間とＣＳL2及びＣＳR2間に夫々巻装されたチェーンＣＨ1 及びＣＨ2 と、これらチェーンＣＨ1 及びＣＨ2 間に前記収納籠１の上面の対角線長さよりも長く設定された所定間隔を保って橋架されたベースプレートＢＰ1 〜ＢＰ11とでチェーンコンベヤ状に構成されている。
【００２５】
ここで、回転軸１２は、図６に示すように、支持フレームＦ３の前方側支柱に固定された軸受１３と、支持プレートＰ2 の下面に支持された軸受１４とで回転自在に支持され、軸受１４を貫通する突出部にスプロケット１５が取付けられている。
【００２６】
一方、支持フレームＦ３の後方側支柱部には、変速機を備えた駆動モータ１６が配設され、この駆動モータ１６の出力軸にスプロケット１７が取付けられ、このスプロケット１７と回転軸１２のスプロケット１５との間にチェーン１８が張設され、回転軸１２が駆動モータ１６の変速機の変速比に応じた回転数で回転駆動される。
【００２７】
そして、搬送用コンベヤ１０の各ベースプレートＢＰ1 〜ＢＰ11には、図４及び図６に示すように、ベースプレートＢＰ1 〜ＢＰ11の中央部に配設された軸受２１の内輪にベースプレートＢＰ1 〜ＢＰ11を貫通して延長する回転軸２２が嵌着され、この回転軸２２の上方側端部には洗浄する最大の大きさの収納籠１の上端面より僅かに広い長方形板状に形成された剛性を有するナイロン樹脂製のターンテーブル２３が固定され、下方側端部には所定厚みを有する係合ローラ２４が固定されている。
【００２８】
ここで、ターンテーブル２３には、その上面上に収納籠１の内面側の上端より底面側の四隅に係合する例えば４本の係合爪２３ａが配設され、これら係合爪２３ａによって収納籠１を開放上面を下向きとして保持する。これら係合爪２３ａは、収納籠１の大きさに応じて取付位置を調整可能とされている。
【００２９】
また、係合ローラ２４には、その外周面に後述する回転動力伝達機構の両面歯付ベルトの歯部と噛合する３列の歯列ＴＲ1 〜ＴＲ3 が形成され、その下面に突出する回転軸２２に収納籠１の向きを左右側面板１ｂ，１ｃを搬送用コンベヤ１０の進行方向に向けて整列させるための２面幅の整列用係合部２５が形成されている。
【００３０】
さらに、ベースプレートＢＰ1 〜ＢＰ11の上面側の内側端縁には、支持プレートＰ１及びＰ２の上面に内方に突出して設けられたガイドプレート２６に下面側から係合するガイドローラ２７が配設され、さらにベースプレートＢＰ1 〜ＢＰ11の下面側の内側端縁にはチェーンＣＨ1 及びＣＨ2 を下側から案内するチェーンガイド２８が配設されている。
【００３１】
一方、各支持フレームＦ１〜Ｆ３の中間梁部の上面におけるターンテーブル２３の長辺に対向する位置に夫々支柱２９が配設され、これら支柱２９の上端にターンテーブル２３の長辺を案内するガイドプレート３０が左右方向に延長して配設されている。
【００３２】
そして、ケース体５の洗浄装置２側の上面には、洗浄装置２から搬出される収納籠１をターンテーブル２３に保持させる収納籠保持手段としての収納籠保持機構３１が配設されている。
【００３３】
この収納籠保持機構３１は、図３に示すように、ケース体５の上面に配設された収納籠１を左右側板部１ｂ，１ｃを進行方向に向けた状態で前後側板部１ｄ，１ｅを前記ターンテーブル２３に接触することなく案内する前後一対のローラコンベヤ３２と、ケース体５におけるターンテーブル２３が転回してケース体５の上面に向かう位置に配設した門型フレーム３３の上方中央部に配設されたローラコンベヤ３２による収納籠１の搬送を一時的に停止させてターンテーブル２３に保持させるタイミングを調整するエアシリンダ３４と、搬送用コンベヤ１０の回転軸１１の中央部に設けられたターンテーブル２３の整列用係合片２５と係合してターンテーブル２３の長手方向を搬送用コンベヤ１０の進行方向に整列させる整列用ガイドリング３５とを備えている。
【００３４】
ここで、エアシリンダ３４は、そのピストンロッド３６のストロークが収縮時にはその先端が下向きにした収納籠１の底面板１ａから上方に離間した位置となり、伸張時にはその先端が収納籠１の右側面板１ｃに当接するように設定されている。
【００３５】
そして、ローラコンベヤ３２は収納籠１を洗浄装置２の搬出速度に応じた速度で搬送するように駆動されると共に、エアシリンダ３４は、搬送用コンベヤ１０によるターンテーブル２３の搬送速度に応じて、収納籠１がローラコンベヤ３２で搬送されたときにターンテーブル２３の係合爪２３ａが収納籠１内に挿入されるタイミングでピストンロッド３６が収縮し、収納籠１の左側面板１ｄがエアシリンダ３４の下を通過した時点或いはこれより遅れた時点でピストンロッド３６を伸張させるように制御される。
【００３６】
そして、ケース体５内の収納籠保持機構３１の下流側にターンテーブル２３を高速回転駆動する回転動力伝達手段としての回転動力伝達機構４１が配設されている。
【００３７】
この回転動力伝達機構４１は、図４に示すように、ターンテーブル２３の係合ローラ２４の搬送軌跡に沿って所定距離離間した位置にプーリ４２及び４３が配設され、これらプーリ４２及び４３間に動力伝達用ベルトとしての３本の両側歯付きベルトＢ1 〜Ｂ3 が張設され、これら歯付きベルトＢ1 〜Ｂ3 とは反対側に係合ローラ２４に摺接してその歯付きベルトＢ1 〜Ｂ3 からの離脱を抑制するガイドプレート４５が配設され、両側歯付きベルトＢ1 〜Ｂ3 の外表面の歯列が係合ローラ２４の歯列ＴＲ1 〜ＴＲ3 に噛合するように構成されている。
【００３８】
ここで、両側歯付きベルトＢ1 〜Ｂ3 は、図５に示すように、中央部の心線４６の両側に所定ピッチの歯列を形成するゴム材４７が形成され、このゴム材４７の外表面の歯列を覆うように歯面帆布４８が貼着された構成を有する。
【００３９】
そして、下流側のプーリ４３は、支持フレームＦ２の中間梁に立設された平行な２本の支柱５１に横設された上下２本の支持片５２の先端に配設されたスラスト軸受５３及びラジアル軸受５４に回転自在に支持された回転軸５５の先端に取付けられており、回転軸５５の支持片５２間に２個のスプロケット５６が取付けられている。
【００４０】
一方、支持フレームＦ２の前側支柱に架台５７が設置され、この架台５７上に電動モータ５８が配設され、この電動モータ５８の出力軸がカップリング５９を介して減速機６０に連結され、この減速機６０の出力軸に２個のスプロケット６１が取付けられ、これらスプロケット６１と回転軸５５のスプロケット５６との間に無端チェーン６２が張設されている。
【００４１】
したがって、電動モータ５８を所定回転速度で回転駆動することにより、減速機で減速された回転速度でプーリ４３が平面から見て反時計方向に回転駆動され、これによって両側歯付きベルトＢ1 〜Ｂ3 が平面から見て係合ローラ２４に噛合する側が搬送用コンベヤ１０の搬送方向と逆行するように駆動され、これに応じてターンテーブル２３が平面から見て時計方向に高速回転駆動される。
【００４２】
また、フード８の天板８ａには、図１に示すように、左右端部側に夫々螺軸６５が螺合され、この螺軸６５の上端にハンドル６６が取付けられていると共に、下端に遠心脱水時に収納籠１が上方に飛び出すことを抑制する平行な２本のガイドバー６７が取付けられている。
【００４３】
さらに、フード８には、その内面側に無数の透孔を有するパンチングメタル６８が配設され、遠心脱水時に収納籠１に付着されている洗浄液が水平方向に飛散したときにこれが透過して内部に回収される。
【００４４】
さらにまた、フード８の背面側には回転動力伝達機構４１でのターンテーブル２３の高速回転による収納籠１の遠心脱水状態を視認するアクリル等の透明板６９で覆われた窓７０が形成されている。
【００４５】
そして、ケース体５内の回転動力伝達機構４１の下流側にターンテーブル２３の回転を停止させる制動機構７１が配設されている。
この制動機構７１は、図６及び図７に示すように、駆動軸１２の係合ローラ２４の搬送軌跡に対応する位置に一対の軸受７２が配設され、この軸受の外輪に支持片７３が固定され、さらに駆動軸１２より上流側の支持フレームＦ２における回転動力伝達機構４１の回転軸５５よりやや下流側に設けられた支持片Ｆ２に支持片７３に対応して支持片７４が設けられ、これら支持片７３及び７４に夫々ターンテーブル２３の係合ローラ２４の搬送軌跡に沿って係合ローラ２４を挟着するブレーキプレート７５が配設されている。
【００４６】
これらブレーキプレート７５は、支持片７３及び７４に対向する位置に設けられた螺軸７６を有し、これら螺軸７６を支持片７３及び７４に挿通し、その外側の突出部に止めナット７７を螺合させることにより、支持片７３及び７４に対する最大突出長が設定され、この最大突出長でブレーキプレート７５の上流側に設けた外側に傾斜する傾斜導入部７５ａの先端における内側長さが係合ローラ２４の外径より僅かに大きくなるように選定されている。
【００４７】
また、螺軸７６の周りにおける支持片７３及び７４とブレーキプレート７５との間にコイルスプリング７８が介挿されて、これらによって係合用ローラ２４に対する摺接力が調整される。
【００４８】
そして、制動機構７１の終端となる駆動軸１２の中央部には、図６及び図８に示すように、ターンテーブル２３の整列用係合片２５と係合してターンテーブル２３の長手方向を搬送用コンベヤ１０の進行方向に整列させる整列用ガイドリング７９が設けられている。
【００４９】
一方、制動機構７１の上方側のフード８には、遠心脱水した収納籠１を乾燥させる乾燥機構８１が配設されている。
この乾燥機構８１は、図１及び図６に示すように、電動モータ８２によって回転駆動される直列に配列された２つのファン８３ａ，８３ｂを有すると共に、図６で特に明らかなように、収納籠１の外側に棒状ヒータ８４ａ，８４ｂが配設され、棒状ヒータ８４ａ，８４ｂで発生される熱をファン８３ａ，８３ｂで攪拌することにより、収納籠１の隅々にまで熱風を送り込むことにより、確実に乾燥させる。
【００５０】
そして、ケース体５の乾燥機構８１の下流側には、乾燥機構８１での乾燥が完了した収納籠１がフード８に形成された挿通部９０を通過して搬送されて来たときに、収納籠１をターンテーブル２３から抽出する抽出機構９１が配設されている。
【００５１】
この抽出機構９１は、駆動軸１２の僅か下流側に設けた前述した収納籠保持機構３１のローラコンベヤ３２と同様のターンテーブル２３と接触することなく、収納籠１の前後側面板１ｄ，１ｅの上端面を受けると共に、図１で時計方向に回転駆動されるローラコンベヤ９２を有し、このコーラコンベヤ９２で、ターンテーブル２３が反転されるときに、ターンテーブル２３によって搬送されて来た収納籠１の前後側面板１ｄ，１ｅの上端部を受けることにより、ターンテーブル２３から収納籠１を抽出して後続の搬送用ローラコンベヤ９３に受け渡す。
【００５２】
次に、上記実施形態の動作を説明する。
収納籠１は、その開放上面を下向きとし、且つ前後側面板１ｄ，１ｅを搬送方向として洗浄装置２に送り込まれ、この洗浄装置２内で洗浄液を噴射することにより洗浄すると共に、収納籠１に付着されているラベル等を剥離してから、ローラコンベヤ３によって遠心脱水装置４に供給される。
【００５３】
この遠心脱水装置４では、先ず、ローラコンベヤ３から搬入された収納籠１が収納籠保持機構３１のローラコンベヤ３２に受け渡されると、このローラコンベヤ３２によって右方向に搬送されて、図３に示すように、伸長状態に制御されたエアシリンダ３４のピストンロッド３６の下面に当接して、その搬送が停止される。
【００５４】
この状態で、搬送用コンベヤ１０によってターンテーブル２３が所定速度で下側の戻り経路を通って搬送されると、その整列用係合片２５が回転軸１１に形成した整列用ガイドリング３５に当接することにより、ターンテーブル２３がその長手方向を搬送方向として停止中の収納籠１に対応した姿勢に整列される。
【００５５】
この状態で、ターンテーブル２３が、図３における二点鎖線図示のように、停止されている収納籠１の内側に入る直前となると、エアシリンダ３４のピストンロッド３６が収縮されて、ローラコンベヤ３２によって収納籠１が右方向に搬送され、これによってターンテーブル２３の回転と共に収納籠１が搬送されることにより、図３における実線図示のように係合爪２３ａ及びターンテーブル２３の上端が収納籠１内に入り込む。
【００５６】
その後、ターンテーブル２３の係合爪２３ａが収納籠１の右側面板１ｃと前後側面板１ｄ，１ｅの隅部に係合することにより、このターンテーブル２３のローラコンベヤ３２より僅かに速い搬送速度で収納籠１が引っ張られ、ターンテーブル２３が略水平状態となると、図３に示すように、係合爪２３ａが収納籠１内の四隅に係合して保持状態となる。
【００５７】
その後、搬送用コンベヤ１０の搬送速度に応じてターンテーブル２３がフード８内に搬送されると、ターンテーブル２３に保持された収納籠１の底面板１ａの上端がガイドバー６７に対向することになり、上方への移動が規制される。
【００５８】
さらに搬送用コンベヤ１０によって搬送されて、ターンテーブル２３が、回転動力伝達機構４１に達すると、ターンテーブル２３の係合ローラ２４が回転動力伝達機構４１の両側歯付きベルトＢ1 〜Ｂ3 に噛合する。このとき、係合ローラ２４の両側歯付きベルトＢ1 〜Ｂ3 とは反対側がガイドレール４５に摺接することにより、係合ローラ２４と両側歯付きベルトＢ1 〜Ｂ3 との噛合状態が確保される。
【００５９】
したがって、ターンテーブル２３は、搬送用コンベヤ１０で右方向に搬送されながら両側歯付きベルトＢ1 〜Ｂ3 によって図２で見て時計方向に例えば６１０ｒｐｍの回転数で高速回転駆動されて、遠心脱水が開始され、このとき収納籠１に上方への揚力が生じるが、収納籠１の底面板１ａがガイドバー６７に接触することにより、収納籠１の浮上が阻止される。
【００６０】
また、ターンテーブル２３等が剛性の高いナイロン樹脂で製作されているので、軽量化を図ることができ、この分ターンテーブル２３の回転に要する駆動力を減少させることができる。
【００６１】
この遠心脱水処理時には、収納籠１から遠心力によって洗浄液が水平方向に飛散することになるが、これら飛散される洗浄液は、フード８の内面側に設けられたパンチングメタル６８によってその外側に透過して回収される。
【００６２】
この遠心脱水状態が係合ローラ２４が両側歯付きベルトＢ1 〜Ｂ3 との噛合状態を維持している間継続され、例えば７秒後に係合ローラ２４が両側歯付きベルトＢ1 〜Ｂ3 から離脱すると、そのターンテーブル２３に対する回転動力の伝達が遮断されることにより、慣性回転状態となり、収納籠１は乾燥機構８１に対向する状態となる。
【００６３】
このため、乾燥機構８１のファン８３ａ，８３ｂ及び棒状ヒータ８４ａ，８４ｂによって攪拌された熱風によって収納籠１の隅々まで確実に乾燥される。
このとき、乾燥機構８１の下側のケース体５内には、図７に示す制動機構７１が配設されているので、係合ローラ２４がブレーキプレート７５でコイルスプリング７８の弾性力によって挟着されることにより、このブレーキプレート７５と係合ローラ２４との間の摩擦力によって減速されて停止状態となる。
【００６４】
そして、搬送用コンベヤ１０によってさらに搬送されて、ターンテーブル２３の整列用係合部２５が駆動軸１２に形成された整列用ガイドリング７９に当接することにより、再度ターンテーブル１がその長手方向を搬送方向とするように整列される。そして、整列が完了すると、図９に示すように、収納籠１の右側面板１ｃ側が抽出機構９１のローラコンベヤ９２に載置され、この状態からターンテーブル２３が図９で一点鎖線図示のように下側に反転することから、収納籠１がターンテーブル２３上からローラコンベヤ９２上に抽出されて、外部のローラコンベヤ９３に受け渡されて搬出される。
【００６５】
このようにして、各ベースプレートＢＰ1 〜ＢＰ11に配設されたターンテーブル２３に順次収納籠保持機構３１で収納籠１が保持され、搬送用コンベヤ１０で右方向に搬送されることにより、回転動力伝達機構４１で回転力が伝達されて遠心脱水状態となり、次いで乾燥機構８１で乾燥されてから、抽出機構９１で収納籠１がターンテーブル２３から抽出されて外部に搬出されることが繰り返され、収納籠１の連続的な遠心脱水処理が行われる。
【００６６】
なお、上記実施形態においては、回転動力伝達機構４１で遠心脱水処理が行われた後に乾燥機構８１で熱風乾燥する場合について説明したが、洗浄装置２での比較的高温６０℃以上の洗浄液を使用する場合には、その蒸発が速いので、回転動力伝達機構４１による遠心脱水処理のみで、収納籠１に付着した洗浄液を完全に除去することができるので、乾燥機構８１を省略することができる。
【００６７】
また、上記実施形態においては、収納籠１が図１０に示す形状である場合について説明したが、これに限定されるものではなく、例えば底面板に対してこれを囲む左右側板及び前後側板が内方に折畳み可能な折畳み籠である場合でも、折畳み状態から各側板を起こした収納状態としてからその開放上面を下向きにして洗浄装置２で洗浄し、次いで遠心脱水装置４で遠心脱水処理を行うことができ、遠心脱水処理を行う収納籠１の形状や大きさの制約は全くない。この場合、収納籠１の形状に応じてターンテーブル２３の係合爪２３ａの位置や高さ及びガイドバー６７の位置を調整すればよい。
【００６８】
さらに、上記実施形態においては、チェーンＣＨ1 及びＣＨ2 にターンテーブル２３を回転自在に支持する１１個のベースプレートＢＰ1 〜ＢＰ11を橋架した場合について説明したが、ベースプレートの数は任意数に設定することができることは言うまでもない。
【００６９】
さらにまた、上記実施形態においては、回転動力伝達機構４１を、両側歯付きベルトＢ1 〜Ｂ3 とガイドレール４５とで形成した場合について説明したが、これに限定されるものではなく、係合ローラ２４の搬送軌跡の両側に互いに逆方向に同期回転駆動される両側歯付きベルトＢ1 〜Ｂ3 を線対称に２組設置するようにしてもよく、この場合には駆動力が倍となるので、歯付きベルトに代えてＶベルト等のベルトを適用することができる。
【００７０】
【発明の効果】
以上説明したように、請求項１に係る収納籠の遠心脱水装置によれば、洗浄液で洗浄した上面を開放した合成樹脂製の収納籠を遠心脱水する収納籠の遠心脱水装置において、所定速度で水平面内で搬送される搬送用無端コンベヤと、該搬送用無端コンベヤの外表面に長手方向に所定間隔を保って回転自在に配設された前記収納籠を保持する複数のターンテーブルと、前記搬送用無端コンベヤの搬送方向の上流側で前記ターンテーブルに収納籠を保持させる収納籠保持手段と、この収納籠保持手段の下流側に配設された前記ターンテーブルに対して搬送用無端コンベヤの搬送中に回転力を伝達して遠心脱水を行う回転動力伝達手段と、該回転動力伝達手段の下流側に配設された前記ターンテーブルの回転を制動する制動手段と、該制動手段の下流側の前記搬送用無端コンベヤを支持する回転軸に形成された収納籠の向きを整列させる整列手段と、該整列手段の下流側に配設された前記ターンテーブルに保持されている収納籠を抽出する収納籠抽出手段とを備えているので、収納籠をターンテーブルに保持させてから搬送用無端コンベヤで搬送しながら回転動力伝達手段でターンテーブルを回転駆動させることにより遠心脱水処理を自動的に行うことができ、連続的な遠心脱水処理が可能となり、処理能力を大幅に向上させることができるという効果が得られる。
また、動力伝達手段が制動手段の下流側に配設された収納籠の向きを整列させる整列手段を有するので、整列手段によってターンテーブル上に保持されている遠心脱水を完了した収納籠の向きを一定方向に整列させて、収納籠抽出手段に搬送することができ、収納籠抽出手段での収納籠の抽出を容易確実に行うことができるという効果が得られるると共に、整列手段が、搬送用無端コンベヤを支持する回転軸に形成されているので、別途整列手段を配設する必要がないという効果が得られる。
【００７１】
また、請求項２に係る収納籠の遠心脱水装置によれば、回転動力伝達手段でターンテーブルが高速回転駆動されて遠心脱水された収納籠を乾燥手段で乾燥させることができ、収納籠をより確実に乾燥させることができるという効果が得られる。
【００７２】
さらに、請求項３に係る収納籠の遠心脱水装置によれば、ターンテーブルに収納籠が開放上面を下側として保持されるので、収納籠保持手段を搬送用無端コンベヤの反転部位置に設けることにより、収納籠を開放上面を下側として配置しておくだけで容易にターンテーブルに保持させることができるという効果が得られる。
【００７３】
さらにまた、請求項４に係る収納籠の遠心脱水装置によれば、ターンテーブルの回転軸に形成された係合ローラがその搬送状態で、動力伝達用無端ベルトに摺接することにより、高速回転駆動されて、ターンテーブルに保持した収納籠を遠心脱水することができ、ターンテーブルを簡易な構成で確実に高速回転駆動することができるという効果が得られる。
【００７４】
なおさらに、請求項５に係る収納籠の遠心脱水装置によれば、制動手段は、動力伝達用無端ベルトの下流側で前記ターンテーブルの係合ローラに摺接して制動するブレーキプレート有するので、ターンテーブルの係合ローラにブレーキプレートが摺接することにより、ターンテーブルの回転を確実に停止させることができるという効果が得られる。
【図面の簡単な説明】
【図１】本発明の一実施形態を示す収納籠の遠心脱水装置の全体構成を示す概略正面図である。
【図２】本発明の一実施形態を示す概略平面図である。
【図３】図１の収納籠保持機構を示す拡大正面図である。
【図４】図２のＡ−Ａ線断面図である。
【図５】両側歯付きベルトの拡大断面図である。
【図６】図２のＢ−Ｂ線断面図である。
【図７】本発明に適用し得る制動機構の一例を示す平面図である。
【図８】本発明に適用し得る整列機構の一例を示す図であって、（ａ）は正面図、（ｂ）は底面図である。
【図９】本発明に適用し得る収納籠抽出機構の一例を示す正面図である。
【図１０】収納籠の説明図である。
【符号の説明】
１  収納籠
２  洗浄装置
４  遠心脱水装置
５  ケース体
１０  搬送用無端コンベヤ
１５  駆動モータ
ＢＰ1 〜ＢＰ11  ベースプレート
２３  ターンテーブル
２４  係合ローラ
２５  整列用係合部
３１  収納籠保持機構
３２  ローラコンベヤ
３４  エアシリンダ
４１  回転動力伝達機構
４２，４３  プーリ
Ｂ1 〜Ｂ3   両側歯付きベルト
４５  ガイドレール
５８  駆動モータ
７１  制動機構
７５  ブレーキプレート
８１  乾燥機構
８３ａ，８３ｂ  ファン
８４ａ，８４ｂ  棒状ヒータ
９１  収納籠抽出機構
９２  ローラコンベヤ
【図１】
0004151767.tif 000002
【図２】
0004151767.tif 000003
【図３】
0004151767.tif 000004
【図４】
0004151767.tif 000005
【図５】
0004151767.tif 000006
【図６】
0004151767.tif 000007
【図７】
0004151767.tif 000008
【図８】
0004151767.tif 000009
【図９】
0004151767.tif 000010
【図１０】
0004151767.tif 000011